(57)【特許請求の範囲】
【請求項１】
波長多重光通信システムにおける波長毎に分離された各パス毎に信号監視を行うパス監視機能付光通信装置において、
各パスの光信号線に設けられ、該光信号線の光信号の一部を分岐する分岐器により分岐された各パスの光信号の中から、パス監視の優先順位の高いパスの光信号を複数選択し、該複数選択した光信号を、それぞれ、パス監視受信回路に競合することなく分散して接続する選択手段と、
前記選択手段により選択された複数のパスの光信号を同時に並列に受信する複数のパス監視受信回路と
から成るパス監視受信装置を備えたことを特徴とするパス監視機能付光通信装置。
【請求項２】
波長多重光信号が出力又は入力される複数の出力ポート又は複数の入力ポートを有する波長多重光通信システムにおける波長毎に分離された各パス毎に信号監視を行うパス監視機能付光通信装置において、
前記各出力ポート又は各入力ポートに出力又は入力される波長毎の光信号の一部を分岐する分岐器により分岐された各パスの光信号の中から、同一波長の光信号の組が入力される複数のパス監視受信装置を備え、
該パス監視受信装置は、入力される複数の光信号の中からパス監視の優先順位の高いパスの光信号を選択する選択手段と、該選択された光信号を受信するパス監視受信回路とを備えた
ことを特徴とするパス監視機能付光通信装置。
【請求項３】
波長多重光信号が出力又は入力される複数の出力ポート又は複数の入力ポートを有する波長多重光通信システムにおける波長毎に分離された各パス毎に信号監視を行うパス監視機能付光通信装置において、
前記各出力ポート又は各入力ポートに出力又は入力される波長毎の光信号の一部を分岐する分岐器により分岐された各パスの光信号の中から、同一の出力ポート又は入力ポートの各光信号が分散されて入力される複数のパス監視受信装置を備え、
該パス監視受信装置は、入力される複数の光信号の中からパス監視の優先順位の高いパスの光信号を選択する選択手段と、該選択された光信号を受信するパス監視受信回路とを備えた
ことを特徴とするパス監視機能付光通信装置。
【請求項４】
前記波長多重光通信システムは、現用系のパスと予備系のパスの波長多重光信号が出力又は入力される複数の出力ポート又は複数の入力ポートを有し、
前記複数のパス監視受信装置は、それぞれ、前記各出力ポート又は各入力ポートに出力又は入力される光信号の中から、現用系のパスの同一波長の光信号の組と予備系のパスの同一波長の光信号の組とが入力されることを特徴とする請求項２記載のパス監視機能付光通信装置。
【請求項５】
前記波長多重光通信システムは、現用系のパスと予備系のパスの波長多重光信号が出力又は入力される複数の出力ポート又は複数の入力ポートを有し、
前記複数のパス監視受信装置は、それぞれ、前記各出力ポート又は各入力ポートに出力又は入力される光信号の中から、同一の出力ポート又は入力ポートの現用系のパスの光信号が分散され、且つ同一の出力ポート又は入力ポートの予備系のパスの光信号が分散されて入力されることを特徴とする請求項３記載のパス監視機能付光通信装置。
【請求項６】
前記波長多重光通信システムは、波長毎に分離された光信号の各パスを切り替える光スイッチと該光スイッチから出力される光信号を波長多重する波長多重装置とを備え、
前記パス監視機能付光通信装置は、該光スイッチと波長多重装置との間の波長毎に分離された光信号線に対してパス監視を行なうことを特徴とする請求項１から５のいずれか一項に記載のパス監視機能付光通信装置。
【請求項７】
前記波長多重光通信システムは、波長多重された光信号を波長毎に分波する波長分波装置と波長毎に分離された光信号の各パスを切り替える光スイッチとを備え、
前記パス監視機能付光通信装置は、該波長分波装置と光スイッチとの間の波長毎に分離された光信号線に対してパス監視を行なうことを特徴とする請求項１から５のいずれか一項に記載のパス監視機能付光通信装置。
【請求項８】
前記波長多重光通信システムは、波長多重された光信号を波長毎に分波する波長分波装置と波長毎に分離された光信号の各パスを切り替える光スイッチと光スイッチから出力される光信号を波長多重する波長多重装置とを備え、
前記パス監視機能付光通信装置は、前記波長分波装置と前記光スイッチとの間の波長毎に分離された光信号線、及び前記光スイッチと前記波長多重装置との間の波長毎に分離された光信号線に対してパス監視を行なうことを特徴とする請求項１から５のいずれか一項に記載のパス監視機能付光通信装置。
【発明の詳細な説明】
【０００１】
【発明の属する技術分野】
本発明は、波長多重光通信システムにおける波長毎に分離されたパス毎の信号監視機能を備えたパス監視機能付光通信装置に関する。通信システムは、これまでの音声中心の通信から、インターネットを初めとするデータ通信も含む通信へと用途が急速に拡がっており、転送する情報量も激増している。また、近い将来、動画像の配送等、情報量が膨大な通信トラフィックが加わることが予想され、益々、大容量のネットワークによる通信システムが要求される。
【０００２】
このような状況に対応するため、光通信網の構築が進められており、特に波長多重（ＷＤＭ）通信網の構築が急速に進められようとしている。この波長多重（ＷＤＭ）通信網においては、パス単位での管理、運用が必要不可欠であり、該光通信網に用いられる光通信装置は、パス毎の信号監視と切り替え制御を行なうことができなければならない。
【０００３】
本発明は、このような波長多重（ＷＤＭ）通信網に用いられる光通信装置であって、パス毎に信号監視を行うことができるパス監視機能付光通信装置に関する。
【０００４】
【従来の技術】
図１３は従来のパス監視機能付光通信装置の説明図である。同図に示すように光通信装置は、例えば、各光信号線の波長λ１〜λｎ1 の各光信号を波長多重する多重装置（ＷＭＵＸ）１３−３1 、波長λ１〜λｎ2 の各光信号を波長多重する多重装置（ＷＭＵＸ）１３−３2 、波長λ１〜λｎk の各光信号を波長多重する多重装置（ＷＭＵＸ）１３−３k 等を有する。
ここで、全光信号線はＮ本あるとする。即ち、ｎ1 ＋ｎ2 ＋・・・＋ｎk ＝Ｎであるとする。
【０００５】
また、光通信装置はパス監視受信装置１３−２を備え、パス監視受信装置１３−２は、Ｎ本の各光信号線の光信号の一部を分岐するＮ個の分岐器１３−１から光信号を全て入力する。
【０００６】
そして、パス監視受信装置１３−２は、入力されたＮ個の全ての光信号に対して、特別な制御を行うことなしに、所定の固定的な順番に従って順次パス監視を行う。ここで、Ｎ個の入力に対して固定的な順番に従って順次動作し、一つずつ監視結果を出力するパス監視受信装置を固定動作Ｎ×１型のパス監視受信装置という。
【０００７】
図１４は、従来の固定動作Ｎ×１型パス監視受信装置の説明図である。図の（ａ）はパイロットトーン監視用のパス監視受信装置の構成例、図の（ｂ）はＳＤＨフレームのモニタ用のパス監視受信装置の構成例、図の（ｃ）は、光スイッチを用いたパス監視受信装置の構成例を示している。
【０００８】
同図において、ＰＤはフォトディテクタを表し、光信号を検出し、電気信号に変換する素子である。Ｎ×１セレクタはＮ個の入力の中から一つを選択して出力する回路である。また、Ｎ×１光ＳＷはＮ個の光信号の入力の中から一つを選択して出力する光スイッチを示している。
【０００９】
図の（ａ）に示すパイロットトーン監視用のパス監視受信装置は、Ｎ本の光信号線から入力される光信号をＮ個のフォトディテクタ（ＰＤ）により電気信号に変換し、Ｎ×１セレクタにより一つの電気信号入力を選択し、該電気信号入力をパイロットトーン（ＰＴ）パス監視回路１４−１に出力する。
【００１０】
パイロットトーン（ＰＴ）パス監視回路１４−１は、入力された信号に含まれるパイロットトーンを監視し、監視データを出力する。なお、パイロットトーンは伝送路の監視用に送信局から送信される信号である。
【００１１】
図の（ｂ）に示すＳＤＨフレームのモニタ用のパス監視受信装置は、前述のパイロットトーン（ＰＴ）パス監視回路１４−１の代わりに、ＳＤＨパス監視回路１４−２をＮ×１セレクタの出力に接続したものである。
【００１２】
ＳＤＨパス監視回路１４−２は、入力された信号のＳＤＨ（Ｓｉｎｃｈｒｏｎｏｕｓ  Ｄｉｇｉｔａｌ  Ｈｉｅｒａｒｃｈｙ）フレームのオーバーヘッドに含まれる各種監視情報を受信し、ＳＤＨフレームのパスを監視する。
【００１３】
図の（ｃ）に示す光スイッチを用いたパス監視受信装置は、Ｎ本の光信号線から入力される光信号のうちの一つを、Ｎ×１光ＳＷにより選択し、該光信号をフォトディテクタＰＤにより電気信号に変換して、パス監視回路１４−３に出力する。
【００１４】
パス監視回路１４−３は、Ｎ本の各光信号線のパスに対して、パイロットトーンの受信又はＳＤＨフレームのオーバーヘッドに含まれる各種監視情報の受信によりパス監視を行う。
【００１５】
図１４に示す従来の各固定動作Ｎ×１型パス監視受信装置は、固定的な規則に従って、Ｎ×１セレクタ又はＮ×１光ＳＷにより、Ｎ本の光信号線から入力される信号から、順次一つの信号を選択し、入力ポートに接続された全ての光信号線に対してパス監視を行う。
【００１６】
【発明が解決しようとする課題】
波長多重（ＷＤＭ）通信網では、パスの誤接続が起こると正常なパスにも影響が出てしまうことがあるため、定期的に試験や障害監視を行う必要が有り、また、随時発生するアラームの検出やパスの導通確認等のためのパス監視も行う必要が有る。
【００１７】
これらの通信網の管理又は運営において行う必要の有る全てのパス監視は、高速データ通信に追随できるよう、より短時間で行う必要がある。しかし、図１４に示す従来の固定動作Ｎ×１型パス監視受信装置は、Ｎ本のパスを一つずつ順番に監視を行うため、全てのパスについて監視が終了するまで長時間かかってしまう。
【００１８】
一方、Ｎ本のパスの監視を行う場合、各パス毎に個別に監視用の受信装置を具備し、各パスの監視を同時に平行して行えば、監視時間を短縮することができるが、具備する監視用の受信装置の数が（波長多重数）×（光通信装置の出力ポート数）の割合で増加してしまい、ハードウェア規模が非常に大きくなってしまう。
【００１９】
すなわち、パス監視受信装置の構成は、ハードウェア量を削減の観点から、なるべく多くのパスを収容する方が効果的であるが、複数のパスを一つの受信装置で受け持つ複数ポート収容型パス監視受信装置は、前述したように全パス監視に要する時間が長大なものとなってしまう。
【００２０】
本発明は、波長多重（ＷＤＭ）通信網のように多数のパスが存在する通信網において、パス監視のためのハードウェア量を増大させることなく、信号監視の必要な複数のパスに対してパス監視を短時間で行うことができるパス監視機能付光通信装置を提供することを目的とする。
【００２１】
【課題を解決するための手段】
本発明のパス監視機能付光通信装置は、（１）波長多重光通信システムにおける波長毎に分離された各パス毎に信号監視を行うパス監視機能付光通信装置において、各パスの光信号線に設けられ、該光信号線の光信号の一部を分岐する分岐器により分岐された各パスの光信号の中から、パス監視の優先順位の高いパスの光信号を複数選択し、該複数選択した光信号を、それぞれ、パス監視受信回路に競合することなく分散して接続する選択手段と、前記選択手段により選択された複数のパスの光信号を同時に並列に受信する複数のパス監視受信回路とから成るパス監視受信装置を備えたものである。
【００２２】
また、（２）波長多重光信号が出力又は入力される複数の出力ポート又は複数の入力ポートを有する波長多重光通信システムにおける波長毎に分離された各パス毎に信号監視を行うパス監視機能付光通信装置において、前記各出力ポート又は各入力ポートに出力又は入力される波長毎の光信号の一部を分岐する分岐器により分岐された各パスの光信号の中から、同一波長の光信号の組が入力される複数のパス監視受信装置を備え、該パス監視受信装置は、入力される複数の光信号の中からパス監視の優先順位の高いパスの光信号を選択する選択手段と、該選択された光信号を受信するパス監視受信回路とを備えたものである。
【００２３】
また、（３）波長多重光信号が出力又は入力される複数の出力ポート又は複数の入力ポートを有する波長多重光通信システムにおける波長毎に分離された各パス毎に信号監視を行うパス監視機能付光通信装置において、前記各出力ポート又は各入力ポートに出力又は入力される波長毎の光信号の一部を分岐する分岐器により分岐された各パスの光信号の中から、同一の出力ポート又は入力ポートの各光信号が分散されて入力される複数のパス監視受信装置を備え、該パス監視受信装置は、入力される複数の光信号の中からパス監視の優先順位の高いパスの光信号を選択する選択手段と、該選択された光信号を受信するパス監視受信回路とを備えたものである。
【００２４】
また、（４）前記波長多重光通信システムは、現用系のパスと予備系のパスの波長多重光信号が出力又は入力される複数の出力ポート又は複数の入力ポートを有し、前記複数のパス監視受信装置は、それぞれ、前記各出力ポート又は各入力ポートに出力又は入力される光信号の中から、現用系のパスの同一波長の光信号の組と予備系のパスの同一波長の光信号の組とが入力されるものである。
【００２５】
また、（５）前記波長多重光通信システムは、現用系のパスと予備系のパスの波長多重光信号が出力又は入力される複数の出力ポート又は複数の入力ポートを有し、前記複数のパス監視受信装置は、それぞれ、前記各出力ポート又は各入力ポートに出力又は入力される光信号の中から、同一の出力ポート又は入力ポートの現用系のパスの光信号が分散され、且つ同一の出力ポート又は入力ポートの予備系のパスの光信号が分散されて入力されるものである。
【００２６】
また、（６）前記波長多重光通信システムは、波長毎に分離された光信号の各パスを切り替える光スイッチと該光スイッチから出力される光信号を波長多重する波長多重装置とを備え、前記パス監視機能付光通信装置は、該光スイッチと波長多重装置との間の波長毎に分離された光信号線に対してパス監視を行なうものである。
【００２７】
また、（７）前記波長多重光通信システムは、波長多重された光信号を波長毎に分波する波長分波装置と波長毎に分離された光信号の各パスを切り替える光スイッチとを備え、前記パス監視機能付光通信装置は、該波長分波装置と光スイッチとの間の波長毎に分離された光信号線に対してパス監視を行なうものである。
【００２８】
また、（８）前記波長多重光通信システムは、波長多重された光信号を波長毎に分波する波長分波装置と波長毎に分離された光信号の各パスを切り替える光スイッチと光スイッチから出力される光信号を波長多重する波長多重装置とを備え、前記パス監視機能付光通信装置は、前記波長分波装置と前記光スイッチとの間の波長毎に分離された光信号線、及び前記光スイッチと前記波長多重装置との間の波長毎に分離された光信号線に対してパス監視を行なうものである。
【００２９】
【発明の実施の形態】
図１は本発明の第１の実施の形態のパス監視機能付光通信装置の説明図である。同図は各パス毎に分離されたＮ本の各光信号線に対してパス監視を行う構成を示し、光信号を分岐する分岐器１−１をＮ本の各光信号線に備え、各分岐器１−１により分岐された光信号を、Ｎ×ｍ選択型のパス監視受信装置１−２に入力する。
【００３０】
Ｎ×ｍ選択型のパス監視受信装置１−２は、図示を省力したパス制御装置から制御信号を入力し、該制御信号に基づいて内部のセレクタを制御し、Ｎ本のパスの内、所望の優先順位の高いｍ本のパスを選択し、該ｍ本のパスの監視データを出力する。
【００３１】
ｍ本のパスについては同時に平行してパス監視を行なうため、監視時間が短くなり、また、同時に選択されるｍ本のパスは、競合が少なくなるように選択し、全体の監視時間が短くなるよう最適な選択を行なう。
【００３２】
図１のパス監視機能付光通信装置では、Ｎ×ｍ選択型のパス監視受信装置１−２によりＮ本の中の各パスの監視を行う。このとき、監視すべきＭ本のパスの内、状況に応じた優先度をあらかじめ決めておき、その優先度の高いｍ本のパスから優先的に監視し、監視すべきＭ本のパスの総監視時間が最短になるようにパス監視受信装置１−２を最適化して制御する。そのため、パス監視受信装置１−２の同時監視数に制限された場合でも、監視時間を短縮することができる。
【００３３】
図２乃至図６は本発明の第２乃至第６の実施の形態のパス監視機能付光通信装置の説明図である。図２乃至図６に示した本発明の実施の形態は、図１に示したＮ×ｍ選択型のパス監視受信装置１−２を、ｍ個のＬ×１選択型パス監視受信装置で構成したものである。
【００３４】
先ず、図２に示す本発明の第２の実施の形態について説明する。図２に示すように、波長多重装置（ＷＭＵＸ）２−３1 〜２−３k により波長多重されて出力される前の波長毎の光信号が伝送される光信号線に分岐器２−１を挿入し、光信号の一部を分岐する。
【００３５】
分岐器２−１により分岐された光信号は、ｍ個のパス監視受信装置２−２1 〜２−２m に入力され、該光信号に対してパス監視が行なわれる。なお、図中、パス監視受信装置２−２1 〜２−２m は、Ｌ×１受信装置と記している。
【００３６】
ここで、波長λ１〜λｎ1 の各光信号が波長多重装置（ＷＭＵＸ）２−３1 により波長多重されて第１の出力ポートから出力され、波長λ１〜λｎ2 の各光信号が波長多重装置（ＷＭＵＸ）２−３2 により波長多重されて第２の出力ポートから出力され、波長λ１〜λｎk の各光信号が波長多重装置（ＷＭＵＸ）２−３k により波長多重されて第ｋの出力ポートから出力されるものとする。
【００３７】
ｍ個の各パス監視受信装置２−２1 〜２−２m には、それぞれ、同一波長の光信号が入力される。そして、各パス監視受信装置２−２1 〜２−２m は、入力された光信号の中から一つの光信号を選択して出力するが、その選択はそれぞれ独立にパス制御装置からの制御信号により、パス監視の優先度が高い入力を優先し、且つ、全体のパス監視時間が最短になるように最適化して選択される。
【００３８】
なお、各パス監視受信装置２−２1 〜２−２m の入力ポート数Ｌは、少なくとも出力ポート数ｋと等しい数であればよく、当然全体のパス数Ｎより小さい数でよい。
【００３９】
図２のパス監視機能付光通信装置では、波長多重装置（ＷＭＵＸ）２−３1 〜２−３k のｋ本の各出力ポートから出力される光信号に対して、同一波長の光信号は、ｍ個の内のある一つのパス監視受信装置へまとめて接続される。
【００４０】
各パス監視受信装置２−２1 〜２−２m はＬ個の多入力ポートに対して出力ポートは一つであるため、複数の入力を同時に処理することはできないが、ｍ個のパス監視受信装置２−２1 〜２−２m は同時に独立して動作するため、波長多重装置（ＷＭＵＸ）２−３1 〜２−３k のｋ本の各出力ポート単位において、その各出力パスに対して幾つかの異なるパス監視受信装置を同時に独立して最適に制御し、分散して並列的に各出力パスの監視を行うことでができる。このため、ある一つの出力ポートに対する各出力パスの組についての全体的な監視時間を短縮することができる。
【００４１】
前述の本発明の第２の実施の形態では、同一波長の光信号を一つのパス監視受信装置へまとめて接続したのに対し、図３に示す本発明の第３の実施の形態は、同一の出力ポートへ向かう各光信号線から分岐された光信号線を、波長と関わりなく任意に、かつ偏りのないようにｍ個のパス監視受信装置へ分散して接続するようにしたものである。
【００４２】
図３に示すように、波長多重装置（ＷＭＵＸ）２−３1 〜２−３k により波長多重されて出力される前の波長毎の光信号が伝送される光信号線に分岐器２−１を挿入し、光信号の一部を分岐する。
【００４３】
分岐器２−１により分岐された光信号は、ｍ個のパス監視受信装置３−２1 〜３−２m に入力される。分岐された光信号線をｍ個のパス監視受信装置３−２1 〜３−２m に接続するとき、同一の出力ポートへ向かう各光信号線から分岐された光信号線を任意に、かつ偏りのないようにｍ個のパス監視受信装置３−２1 〜３−２m へ分散して接続する。なお、図中、パス監視受信装置３−２1 〜３−２m は、単に受信装置と記している。
【００４４】
ｍ個の各パス監視受信装置３−２1 〜３−２m には、それぞれ、幾つかの波長の異なる光信号が入力される。そして、各パス監視受信装置３−２1 〜３−２m は、入力された光信号の中から一つの光信号を選択して出力するが、その選択はそれぞれ独立にパス制御装置からの制御信号により、パス監視の優先度が高い入力を優先し、且つ、全体のパス監視時間が最短になるように最適化して選択される。
【００４５】
このパス監視受信装置３−２1 〜３−２m は、図２に示した第２の実施の形態と同様に、Ｌ個の多入力ポートに対して出力ポートは一つであるため、複数の入力を同時に処理することはできないが、ｍ個のパス監視受信装置３−２1 〜３−２m は同時に独立して動作するため、波長多重装置（ＷＭＵＸ）２−３1 〜２−３k のｋ本の各出力ポート単位において、その各出力パスに対して幾つかの異なるパス監視受信装置を同時に独立して最適に制御し、分散して並列的に各出力パスの監視を行うことができる。このため、ある一つの出力ポートに対する各出力パスの組についての全体的な監視時間を短縮することができる。
【００４６】
図４及び図５に示す本発明の第４及び第５の実施の形態は、冗長系パスの光信号線を有するパス監視機能付光通信装置に関するものである。
図４に示す本発明の第４の実施の形態は、現用系パスの光信号線の同一波長の光信号と、予備系パスの光信号線の同一波長の光信号とを、一つのパス監視受信装置へまとめて接続したものである。
【００４７】
波長多重装置（ＷＭＵＸ）４−３1 〜４−３k は、それぞれ現用系パスの光信号と予備系パスの光信号とを多重して出力ポートから出力する。波長多重装置（ＷＭＵＸ）４−３1 には、波長λ１〜λｉ1 の現用系パスの光信号と波長λｊ1 〜λｎ1 の予備系パスの光信号とが波長多重され、波長多重装置（ＷＭＵＸ）４−３2 には、波長λ１〜λｉ2 の現用系パスの光信号と波長λｊ2 〜λｎ2 の予備系パスの光信号とが波長多重され、波長多重装置（ＷＭＵＸ）４−３k には、波長λ１〜λｉk の現用系パスの光信号と波長λｊk 〜λｎk の予備系パスの光信号とが波長多重される。
【００４８】
図４に示すように、波長多重装置（ＷＭＵＸ）４−３1 〜４−３k により波長多重されて出力される前の波長毎の各光信号線に、分岐器２−１を挿入し、光信号の一部を分岐する。
【００４９】
分岐器２−１により分岐された光信号は、ｍ個のパス監視受信装置４−２1 〜４−２m に入力される。分岐された光信号線をｍ個のパス監視受信装置４−２1 〜４−２m に接続するとき、現用系パスの同一波長の光信号線を、一つのパス監視受信装置へ接続し、また、同様に予備系パスの同一波長の光信号線を、一つのパス監視受信装置へ接続し、現用系パスの監視と予備系パスの監視とで一つのパス監視受信装置４−２1 〜４−２m を共通に用いる。なお、図中、パス監視受信装置を単に受信装置と記している。
【００５０】
各パス監視受信装置４−２1 〜４−２m は、入力された光信号の中から一つの光信号を選択して出力するが、その選択はそれぞれ独立にパス制御装置からの制御信号により、パス監視の優先度が高い入力を優先し、且つ、全体のパス監視時間が最短になるように最適化して選択される。
【００５１】
このパス監視受信装置４−２1 〜４−２m は、前述した第２及び第３の実施の形態と同様に、Ｌ個の多入力ポートに対して出力ポートは一つであるため、複数の入力を同時に処理することはできないが、ｍ個のパス監視受信装置４−２1 〜４−２m は同時に独立して動作するため、波長多重装置（ＷＭＵＸ）４−３1 〜４−３k のｋ本の各出力ポート単位において、その各出力パスに対して幾つかの異なるパス監視受信装置を同時に独立して最適に制御し、分散して並列的に各出力パスの監視を行うことができる。このため、ある一つの出力ポートに対する各出力パスの組についての全体的な監視時間を短縮することができる。
【００５２】
図５に示す第５の実施の形態は、現用系パスの光信号線と予備系パスの光信号線とを波長に関わりなく、任意に、かつ偏りのないようにｍ個のパス監視受信装置へ分散して接続するようにしたものである。
【００５３】
波長多重装置（ＷＭＵＸ）４−３1 〜４−３k により多重される現用系パス及び予備系パスの光信号線の波長は、図４に示したものと同様であるものとする。分岐器２−１により分岐された光信号線をｍ個のパス監視受信装置５−２1 〜５−２m に接続するとき、現用系パスの光信号線と予備系パスの光信号線とを、波長に関わりなく、かつ偏りのないように分散して任意のパス監視受信装置５−２1 〜５−２m へ接続する。
【００５４】
各パス監視受信装置５−２1 〜５−２m は、入力された光信号の中から一つの光信号を選択して出力するが、その選択はそれぞれ独立にパス制御装置からの制御信号により、パス監視の優先度が高い入力を優先し、且つ、全体のパス監視時間が最短になるように最適化して選択される。
【００５５】
このパス監視受信装置５−２1 〜５−２m は、前述した第１乃至第３の実施の形態と同様に、Ｌ個の多入力ポートに対して出力ポートは一つであるため、複数の入力を同時に処理することはできないが、ｍ個のパス監視受信装置５−２1 〜５−２m は同時に独立して動作するため、波長多重装置（ＷＭＵＸ）４−３1 〜４−３k のｋ本の各出力ポート単位において、その各出力パスに対して幾つかの異なるパス監視受信装置を同時に独立して最適に制御し、分散して並列的に各出力パスの監視を行うことでができる。このため、ある一つの出力ポートに対する各出力パスの組についての全体的な監視時間を短縮することができる。
【００５６】
図２乃至図５に示した実施の形態は、波長多重する前の光信号線に対してパス監視を行なうパス監視機能付光通信装置の構成例であるが、図６は、波長多重された光信号を分波器で波長毎に分波した各光信号線に対してパス監視を行なうパス監視機能付光通信装置の構成例を示す。
【００５７】
図６において、ｋ個の入力ポートから入力される波長多重された光信号は、それぞれ入力ポート毎に設けられた光分波器（ＷＤＭＵＸ）６−３1 〜６−３k により分波され、波長毎の信号に分けられる。
【００５８】
ここで、第１の入力ポートに設けられた光分波器（ＷＤＭＵＸ）６−３1 から波長λ１〜λｎ1 の光信号が分波され、第２の入力ポートに設けられた光分波器（ＷＤＭＵＸ）６−３2 から波長λ１〜λｎ2 の光信号が分波され、第ｋの入力ポートに設けられた光分波器（ＷＤＭＵＸ）６−３k から波長λ１〜λｎk の光信号が分波されるものとする。
【００５９】
光分波器（ＷＤＭＵＸ）６−３1 〜６−３k により分波された各波長毎の光信号線に分岐器６−１を挿入し、光信号の一部を分岐する。分岐器６−１により分岐された光信号は、ｍ個のパス監視受信装置６−２1 〜６−２m に入力され、該光信号に対してパス監視が行なわれる。
【００６０】
各波長毎の光信号線から分岐した光信号を、ｍ個のパス監視受信装置６−２1 〜６−２m に入力するとき、前述した図２〜図５の実施の形態と同様に、同一波長の光信号を一つのパス監視受信装置へまとめて入力するか、又は波長と関わりなく任意に、かつ偏りのないようにｍ個のパス監視受信装置へ分散して入力する。
【００６１】
また、波長多重された光信号を分波器（ＷＤＭＵＸ）６−３1 〜６−３k で波長毎に分波した各光信号線に、冗長系パスの光信号線が存在する場合は、図４又は図５に示した実施の形態のように、現用系パスの光信号線の同一波長の光信号と、予備系パスの光信号線の同一波長の光信号とを、一つのパス監視受信装置へまとめて入力するか、又は、現用系パスの光信号線と予備系パスの光信号線とを波長に関わりなく、任意に、かつ偏りのないようにｍ個のパス監視受信装置へ分散して入力するように構成することができる。
【００６２】
各パス監視受信装置６−２1 〜６−２m は、入力された光信号の中から一つの光信号を選択して出力するが、その選択はそれぞれ独立にパス制御装置からの制御信号により、パス監視の優先度が高い入力を優先し、且つ、全体のパス監視時間が最短になるように最適化して選択される。
【００６３】
このパス監視受信装置６−２1 〜６−２m は、図２〜図５に示した実施の形態と同様に、Ｌ個の多入力ポートに対して出力ポートは一つであるため、複数の入力を同時に処理することはできないが、ｍ個のパス監視受信装置６−２1 〜６−２m は同時に独立して動作するため、光分波器（ＷＤＭＵＸ）６−３1 〜６−３k のｋ本の各入力ポート単位において、その各入力パスに対して幾つかの異なるパス監視受信装置を同時に独立して最適に制御し、分散して並列的に各入力パスの監視を行うことでができる。このため、ある一つの入力ポートに対する各入力パスの組についての全体的な監視時間を短縮することができる。
【００６４】
図２〜図６に示した実施の形態におけるパス監視機能付光通信装置は、Ｌ×１選択型のパス監視受信装置を用い、Ｎ本の全パスの監視をｍ個のパス監視受信装置で分担することにより、保守・運用性の向上と、パス監視受信装置へ各パスの光信号を分配するセレクタに要求されるハードウェア上の要求条件の低減化を図ることができる。
【００６５】
図７は本発明のＮ×ｍ選択型パス監視受信装置の説明図である。このＮ×ｍ選択型パス監視受信装置は、本発明の第１の実施の形態のパス監視機能付光通信装置に好適に用いられる。
【００６６】
図の（ａ）はパイロットトーン監視用のパス監視受信装置の構成例、図の（ｂ）はＳＤＨフレームのモニタ用のパス監視受信装置の構成例、図の（ｃ）は、光スイッチを用いたパス監視受信装置の構成例を示している。
【００６７】
図の（ａ）に示すパイロットトーン監視用のパス監視受信装置は、Ｎ本の光信号線から入力される光信号をＮ個のフォトディテクタ（ＰＤ）により電気信号に変換し、Ｎ×ｍセレクタによりＮ個の信号の内からｍ個の信号を選択して、ｍ個のパイロットトーン（ＰＴ）パス監視回路７−１に出力する。パイロットトーン（ＰＴ）パス監視回路７−１は、図１４に示した従来のものと同様であるので重複した説明は省力する。
【００６８】
図の（ｂ）に示すＳＤＨフレームのモニタ用のパス監視受信装置は、前述のｍ個のパイロットトーン（ＰＴ）パス監視回路７−１の代わりに、ｍ個のＳＤＨパス監視回路７−２をＮ×ｍセレクタの出力に接続したものである。ＳＤＨパス監視回路７−２は、図１４に示した従来のものと同様であるので重複した説明は省力する。
【００６９】
図の（ｃ）に示す光スイッチを用いたパス監視受信装置は、Ｎ×ｍ光ＳＷにより、Ｎ本の光信号線から入力される光信号の内からｍ個の光信号を選択し、該ｍ個の光信号をフォトディテクタＰＤにより電気信号に変換して、ｍ個のパス監視回路７−３に出力する。パス監視回路７−３は、図１４に示した従来のものと同様であるので重複した説明は省力する。
【００７０】
図７に示す本発明のＮ×ｍ選択型パス監視受信装置は、Ｎ×ｍセレクタ又はＮ×ｍ光ＳＷにより、Ｎ本の光信号線から入力される信号の中から、任意のｍ個の信号を選択して、該ｍ個の信号に対して同時に並列してパス監視を行なう。
【００７１】
Ｎ×ｍ選択型パス監視受信装置のハードウェア量の観点からいうと、パス監視回路の数ｍを少なくした方が効果的であるが、Ｎ本の全てのパス又はその内の複数本のパスに対してパス監視を行うときの監視時間の観点からは、パス監視回路の数ｍを多くした方が監視時間を短縮することができる。
【００７２】
図８は本発明のＬ×１選択型パス監視受信装置の説明図である。このＬ×１選択型パス監視受信装置は、図２から図５に示した本発明の実施の形態のパス監視機能付光通信装置に好適に用いられる。
【００７３】
図の（ａ）はパイロットトーン監視用のパス監視受信装置の構成例、図の（ｂ）はＳＤＨフレームのモニタ用のパス監視受信装置の構成例、図の（ｃ）は、光スイッチを用いたパス監視受信装置の構成例を示している。
【００７４】
図８に示したＬ×１選択型パス監視受信装置は、全体のパス数Ｎをパス監視回路の数ｍで分割したパス数をＬとすると、Ｌ本のパスの信号の中から一つの信号を選択してパス監視回路に出力するものである。
【００７５】
即ち、図７に示したＮ×ｍ選択型パス監視受信装置をｍ分割して、それぞれ一つのパス監視回路を備えるようにしたもので、図中、パイロットトーン（ＰＴ）パス監視回路７−１、ＳＤＨパス監視回路７−２、パス監視回路７−３は、図７に示したものと同様の機能を有する。
【００７６】
但し、それらのパス監視回路はＬ個の入力に対して一つであり、Ｌ×１セレクタ又はＬ×１光スイッチは、Ｌ個の入力の中から一つを選択する構成であるため、ハードウェアに要求される負担の低減を図ることができる。
【００７７】
図９乃至図１２は本発明のパス監視機能付光通信装置におけるパス監視の具体例の説明図である。図９は図２に示す本発明の第２の実施の形態のパス監視機能付光通信装置におけるパス監視の例を示している。
【００７８】
図９において、パス監視機能付光通信装置は、光スイッチ（ＳＷ）９−４と４つの波長多重装置（ＷＭＵＸ）９−３1 〜９−３4 とを備え、その間の光信号線の光信号を監視する。
【００７９】
波長多重装置（ＷＭＵＸ）９−３1 〜９−３4 はそれぞれ４つの波長の光信号を多重し、それぞれの出力ポートから波長多重光信号を伝送路９−５1 〜９−５4 に出力する。
【００８０】
また、パス監視機能付光通信装置は、４つのパス監視受信装置９−２1 〜９−２4 を備え、各パス監視受信装置９−２1 〜９−２4 には４本の光信号線（出力パス）が収容される。
【００８１】
今、第１の伝送路９−５1 上で障害が発生したとすると、光スイッチ（ＳＷ）９−４は、第１の伝送路９−５1 （出力ポート＃１）へ接続されていたパス（図中、点線で示すパス）を、他の伝送路９−５2 〜９−５4 （出力ポート＃２〜＃４）へのパス（図中、実線で示すパス）に切り替える。
【００８２】
即ち、出力ポート＃１へ接続されていた波長λ１〜波長λ４のパスを、それぞれ、出力ポート＃２の波長λ１、出力ポート＃３の波長λ２、出力ポート＃４の波長λ３及び波長λ４へ１パスずつ切り替える。
【００８３】
このとき、第１のパス監視受信装置９−２1 では波長λ１のパスを監視し、第２のパス監視受信装置９−２2 では波長λ２のパスを監視し、第３のパス監視受信装置９−２3 では波長λ３のパスを監視し、第 4のパス監視受信装置９−２4 では波長λ４のパスを監視する。
【００８４】
各パス監視受信装置９−２1 〜９−２4 は、パス制御装置からの制御信号により、当該パス切り替えが行なわれた入力ポートを選択するように内部のセレクタ切り替え、光スイッチ（ＳＷ）９−４において切り替えられた全てのパスを、４つのパス監視受信装置９−２1 〜９−２4 で同時に監視する。そのため、パス監視受信装置内のセレクタを切り替えて行なうパス監視を１回のステップで完了することができる。
【００８５】
図１０は図３に示す本発明の第３の実施の形態のパス監視機能付光通信装置におけるパス監視の例を示している。図１０において、パス監視機能付光通信装置は、波長変換機能付の光スイッチ（ＳＷ）１０−４と４つの波長多重装置（ＷＭＵＸ）９−３1 〜９−３4 とを備え、その間の光信号線の光信号を監視する点は、図９に示したパス監視の例と同様である。
【００８６】
波長変換機能付の光スイッチ（ＳＷ）１０−４は、光路切り替えスイッチと波長変換器とを備え、伝送路上で障害が発生した場合、他の伝送路への光路切り替えとともに必要があれば波長変換を行う。
【００８７】
今、第１の伝送路９−５1 上で障害が発生したとすると、図１０に示すように、波長変換機能付の光スイッチ（ＳＷ）１０−４は、出力ポート＃１へ接続されていた波長λ１〜波長λ４のパス（図中、点線で示すパス）を、それぞれ、出力ポート＃２の波長λ２、出力ポート＃３の波長λ２、出力ポート＃４の波長λ２及び波長λ３へのパス（図中、実線で示すパス）に１パスずつ切り替える。
【００８８】
このとき、第１のパス監視受信装置１０−２1 では出力ポート＃４の波長λ２のパスを監視し、第２のパス監視受信装置１０−２2 では出力ポート＃４の波長λ３のパスを監視し、第３のパス監視受信装置１０−２3 では出力ポート＃２の波長λ２のパスを監視し、第 4のパス監視受信装置１０−２4 では出力ポート＃３の波長λ２のパスを監視する。
【００８９】
各パス監視受信装置１０−２1 〜１０−２4 は、パス制御装置からの制御信号により、当該パス切り替えが行なわれた入力ポートを選択するように内部のセレクタを切り替え、光スイッチ（ＳＷ）１０−４において切り替えられた全てのパスを、４つのパス監視受信装置１０−２1 〜１０−２4 で同時に監視する。そのため、パス監視受信装置内のセレクタを切り替えて行なうパス監視を１回のステップで完了することができる。
【００９０】
図１１は図４に示す本発明の第４の実施の形態のパス監視機能付光通信装置におけるパス監視の例を示している。図１１において、パス監視機能付光通信装置は、波長変換機能付の光スイッチ（ＳＷ）１１−４と三つの波長多重装置（ＷＭＵＸ）１１−３1 〜１１−３3 とを備え、その間の光信号線の信号を監視する。
【００９１】
波長多重装置（ＷＭＵＸ）１１−３1 〜１１−３3 は、それぞれ、現用系パスの四つの波長と予備系パスの二つの波長との六つの波長を多重し、それぞれの出力ポートから波長多重光信号を伝送路１１−５1 〜１１−５3 に出力する。
【００９２】
また、パス監視機能付光通信装置は、三つのパス監視受信装置１１−２1 〜１１−２3 を備え、各パス監視受信装置１１−２1 〜１１−２3 には６本の光信号線（出力パス）が収容される。
【００９３】
また、波長変換機能付の光スイッチ（ＳＷ）１１−４は、光路切り替えスイッチと波長変換器とを備え、伝送路上で障害が発生した場合、他の伝送路への光路切り替えとともに予備系パスの波長への波長変換を行う。
【００９４】
今、第１の伝送路１１−５1 上で障害が発生したとすると、波長変換機能付の光スイッチ（ＳＷ）１１−４は、第１の伝送路１１−５1 （出力ポート＃１）へ接続されていたパス（図中、点線で示すパス）を、他の伝送路１１−５2 〜１１−５3 （出力ポート＃２〜＃３）へのパス（図中、実線で示すパス）に切り替える。
【００９５】
即ち、出力ポート＃１へ接続されていた波長λ１〜波長λ４のパスを、それぞれ、出力ポート＃２の波長λ５及び波長λ６、出力ポート＃３の波長λ５及び波長λ６へ１パスずつ波長変換を行なって切り替える。
【００９６】
このとき、第２のパス監視受信装置１１−２2 では出力ポート＃２の波長λ６のパスと出力ポート＃３の波長λ６のパスを監視し、第３のパス監視受信装置１１−２3 では出力ポート＃２の波長λ５のパスと出力ポート＃３の波長λ５のパスを監視する。
【００９７】
パス監視受信装置１１−２2 ，１１−２3 は、パス制御装置からの制御信号により、当該パス切り替えが行なわれた入力ポートを選択するように内部のセレクタ切り替える。パス監視受信装置１１−２2 ，１１−２3 には、それぞれ、パス切り替えが行なわれた二つの入力ポートが接続されているため、パス監視受信装置内のセレクタを切り替えて行なうパス監視は２回のステップに分けて行なう。
【００９８】
図１２は図５に示す本発明の第５の実施の形態のパス監視機能付光通信装置におけるパス監視の例を示している。図１２において、パス監視機能付光通信装置は、波長変換機能付の光スイッチ（ＳＷ）１１−４と三つの波長多重装置（ＷＭＵＸ）１１−３1 〜１１−３3 とを備え、その間の光信号線の信号を監視する点は、図１１に示したパス監視の例と同様である。
【００９９】
また、波長多重装置（ＷＭＵＸ）１１−３1 〜１１−３3 は、それぞれ、現用系パスの四つの波長と予備系パスの二つの波長との六つの波長を多重し、それぞれの出力ポートから波長多重光信号を伝送路１１−５1 〜１１−５3 に出力し、三つのパス監視受信装置１１−２1 〜１１−２3 には６本の光信号線（出力パス）が収容され、波長変換機能付の光スイッチ（ＳＷ）１１−４は、光路切り替えスイッチと波長変換器とを備え、伝送路上で障害が発生した場合、他の伝送路への光路切り替えとともに、予備系パスの波長への波長変換を行う構成は、図１１に示した例と同様である。
【０１００】
ここで、第１の伝送路１１−５1 上で障害が発生したとすると、図１１に示した例と同様に、波長変換機能付の光スイッチ（ＳＷ）１１−４は、出力ポート＃１へ接続されていた波長λ１〜波長λ４のパスを、それぞれ、出力ポート＃２の波長λ５及び波長λ６、出力ポート＃３の波長λ５及び波長λ６へ１パスずつ波長変換を行なって切り替える。
【０１０１】
このとき、第１のパス監視受信装置１２−２1 では出力ポート＃３の波長λ６のパスを監視し、第２のパス監視受信装置１２−２2 では出力ポート＃２の波長λ５のパスを監視し、第３のパス監視受信装置１２−２3 では出力ポート＃２の波長λ６のパス及び出力ポート＃３の波長λ５のパスを監視する。
【０１０２】
パス監視受信装置１２−２1 〜１２−２3 は、パス制御装置からの制御信号により、当該パス切り替えが行なわれた入力ポートを選択するように内部のセレクタ切り替える。第３のパス監視受信装置１２−２3 には、パス切り替えが行なわれた二つの入力ポートが接続されているため、パス監視受信装置内のセレクタを切り替えて行なうパス監視は２回のステップに分けて行なうこととなるが、第１及び第２のパス監視受信装置１２−２1 ，１２−２2 は、１回のステップのセレクタ切り替えによりパス監視を行なうことができる。
【０１０３】
【発明の効果】
以上説明したように、本発明によれば、波長多重（ＷＤＭ）通信網のように多数のパスが存在する通信網において、複数のパスを同時に平行して監視することにより多数のパス監視を短時間で行うことができる。
【０１０４】
また、多数のパスを監視する際に、パス監視の優先度の高いパスを優先的に複数選択し、且つそれらの複数の優先的に監視するパスを、複数のパス監視受信装置に分散して配分することにより、監視を行なうパス間の競合が少なくなり、必要なパス監視が短時間で行なわれるとともに、所望のパス全てに対するパス監視時間が短縮され、保守運用上の便宜性を高めることができる。
【０１０５】
また、パス監視受信装置には、多入力される複数のパスについての信号をセレクタにより選択して送出することにより、パス監視受信装置の設置数を減少させて効率よく使用し、パス監視受信のためのハードウェア量を削減することができる。
【０１０６】
更に、パス監視受信装置を複数用い、多数のパスを該複数パス監視受信装置で分散して監視することにより、各パス監視受信装置には、全パス数をパス監視受信装置の設置数で分割したパス数の信号を入力するセレクタを設ければよく、セレクタのハードウェア機構が簡素化される。
【図面の簡単な説明】
【図１】本発明の第１の実施の形態のパス監視機能付光通信装置の説明図である。
【図２】本発明の第２の実施の形態のパス監視機能付光通信装置の説明図である。
【図３】本発明の第３の実施の形態のパス監視機能付光通信装置の説明図である。
【図４】本発明の第４の実施の形態のパス監視機能付光通信装置の説明図である。
【図５】本発明の第５の実施の形態のパス監視機能付光通信装置の説明図である。
【図６】本発明の第６の実施の形態のパス監視機能付光通信装置の説明図である。
【図７】本発明のＮ×ｍ選択型パス監視受信装置の説明図である。
【図８】本発明のＬ×１選択型パス監視受信装置の説明図である。
【図９】本発明のパス監視機能付光通信装置におけるパス監視の具体例の説明図である。
【図１０】本発明のパス監視機能付光通信装置におけるパス監視の具体例の説明図である。
【図１１】本発明のパス監視機能付光通信装置におけるパス監視の具体例の説明図である。
【図１２】本発明のパス監視機能付光通信装置におけるパス監視の具体例の説明図である。
【図１３】従来のパス監視機能付光通信装置の説明図である。
【図１４】従来の固定動作Ｎ×１型パス監視受信装置の説明図である。
【符号の説明】
１−１  光信号を分岐する分岐器
１−２  Ｎ×ｍ選択型のパス監視受信装置
【図１】
0003766949.tif 000002
【図２】
0003766949.tif 000003
【図３】
0003766949.tif 000004
【図４】
0003766949.tif 000005
【図５】
0003766949.tif 000006
【図６】
0003766949.tif 000007
【図７】
0003766949.tif 000008
【図８】
0003766949.tif 000009
【図９】
0003766949.tif 000010
【図１０】
0003766949.tif 000011
【図１１】
0003766949.tif 000012
【図１２】
0003766949.tif 000013
【図１３】
0003766949.tif 000014
【図１４】
0003766949.tif 000015